(57)【要約】【課題】壁面に耐火面材を２枚重ねで取付ける場合に、上側耐火面材どうしの継目を少なくできるとともに、上側耐火面材の重量の嵩みを抑えることができ、さらに、上側耐火面材と下側耐火面材との合計の厚みを所定の厚みにでき、下側耐火面材の重量の嵩みを抑えることができると同時に高い耐火性を備えた天井または床の耐火構造を提供する。【解決手段】天井に、方形板状の複数の下側耐火面材８を取付け、これら下側耐火面材８によって形成された取付面８０には、少なくとも２枚以上の方形板状の上側耐火面材９を取付け、互いに隣り合う下側耐火面材８どうしの継目Ｔ１、Ｔ２と、互いに隣り合う上側耐火面材９どうしの継目Ｔ３、Ｔ４の、少なくともいずれか一方の継目に耐火性を有する目地処理材を取付け、上側耐火面材９を、下側耐火面材９より薄くてかつ面積が大きいものとする。【選択図】図５
2006161406.tif 000002
【特許請求の範囲】
【請求項１】
天井または床に、耐火面材を取付けてなる天井または床の耐火構造であって、
前記天井または床に、方形板状の複数の下側耐火面材が取付けられており、これら下側耐火面材によって形成された取付面には、少なくとも２枚以上の方形板状の上側耐火面材が取付けられており、
互いに隣り合う前記下側耐火面材どうしの継目と、互いに隣り合う前記上側耐火面材どうしの継目の、少なくともいずれか一方の継目に耐火性を有する目地処理材が取付けられ、
前記上側耐火面材は、前記下側耐火面材より薄くてかつ面積が大きいことを特徴とする天井または床の耐火構造。
【請求項２】
請求項１に記載の天井または床の耐火構造において、
前記目地処理材が、ガラス繊維テープであることを特徴とする天井または床の耐火構造。
【請求項３】
請求項１または２に記載の天井または床の耐火構造において、
前記上側耐火面材どうしの継目の長さの総延長は、前記下側耐火面材どうしの継目の長さの総延長より短くなっていることを特徴とする天井または床の耐火構造。
【請求項４】
請求項１〜３の何れか一項に記載の天井または床の耐火構造において、
前記下側耐火面材と前記上側耐火面材とは、それぞれ長方形板状をなしており、
これら下側耐火面材と上側耐火面材とは、平面視において、それらの長辺どうしが直交するようにして配置されていることを特徴とする天井または床の耐火構造。
【請求項５】
請求項４に記載の天井または床の耐火構造において、
前記下側耐火面材の短辺どうしの継目と、前記上側耐火面材の長辺どうしの継目とは、平面視において一致していないことを特徴とする天井または床の耐火構造。
【請求項６】
請求項４または５に記載の天井または床の耐火構造において、
前記下側耐火面材は、短辺どうしの継目が、短辺方向に連続しないようにして配置されていることを特徴とする天井または床の耐火構造。
【請求項７】
請求項４〜６の何れか一項に記載の天井または床の耐火構造において、
前記下側耐火面材の長辺の長さと、前記上側耐火面材の短辺の長さとは、それぞれ基準寸法の整数倍となっていることを特徴とする天井または床の耐火構造。
【発明の詳細な説明】
【技術分野】
【０００１】
本発明は、住宅などの建物の外壁面に石膏ボードなどの耐火面材を取付けてなる天井または床の耐火構造に関する。
【背景技術】
【０００２】
住宅などの建物の壁面には、通常石膏ボードなどからなる耐火面材が取付けられており、耐火性をさらに向上させるために、耐火面材を二重に取付ける場合がある。この技術の一例について、例えば、特許文献１に記載されている。
すなわち、この特許文献１に記載の技術では、間仕切壁が、上部ランナと下部ランナとの間に一定間隔で配置された複数の柱状のスタッドと、スタッドの両側にそれぞれ取付けられた二枚重ねの石膏ボード（耐火面材）とから概略構成されている。二枚重ねのうち、下側の石膏ボードはタッピングネジなどを用いてスタッドに取付けられており、上側の石膏ボードは下側の石膏ボードにステープルなどを用いて取付けられている。なお、下側の石膏ボードおよび上側の石膏ボードともその厚みは等しく、１５ｍｍ程度ある。
【特許文献１】特開２００１−１９３１８２号公報（第５頁、第１図）
【発明の開示】
【発明が解決しようとする課題】
【０００３】
ところで、上述したように、壁面の石膏ボードなどの耐火面材を二枚重ねで取付ける場合、上側耐火面材の継目はなるべく少ない方が望ましい。それは、防火性能上、継目がなるべく少ない方が、防火上の欠点が少なくなり有効となるからである。また、上側耐火面材の表面には、最終的にクロスを貼り付けるため、耐火面材どうしの継目においては、クロスに継目に沿った筋などが入り易く、この筋などが入らないようにクロスを貼り付けるのに手間がかかるばかりか、継目に沿って切れる場合もあり、その補修に手間がかかるからでもある。
上側耐火面材どうしの継目をなるべく少なくするには、上側耐火面材を大きくすればよいが、大きくすると上側耐火面材の重量が嵩み、取り扱い難くなる。
一方、上側耐火面材の重量が嵩まないように薄くすると、この上側耐火面材と下側耐火面材との合計の厚みが薄くなり、耐火性能が低下する。
そこで、下側耐火面材の厚みを厚くすれば、上側耐火面材と下側耐火面材との合計の厚みを所定の厚みにすることができるが、下側耐火面材の重量が嵩んでしまい、取り扱い難くなる。
また、複数枚の下側耐火面材および上側耐火面材からなる構成であって、継目が形成されていることによって、該継目からの火炎の進入が懸念され、その分の耐火性能を下側耐火面材の厚みで補う必要があった。
【０００４】
本発明は上記事情に鑑みてなされたもので、壁面に耐火面材を２枚重ねで取付ける場合に、上側耐火面材どうしの継目を少なくできるとともに、上側耐火面材の重量の嵩みを抑えることができ、さらに、上側耐火面材と下側耐火面材との合計の厚みを所定の厚みにでき、下側耐火面材の重量の嵩みを抑えることができると同時に高い耐火性を備えた天井または床の耐火構造を提供することを目的としている。
【課題を解決するための手段】
【０００５】
以上の課題を解決すべく、請求項１に記載の発明は、天井または床に、耐火面材を取付けてなる天井または床の耐火構造（例えば、天井の耐火構造１）であって、前記天井または床に、方形板状の複数の下側耐火面材（例えば、下側耐火面材８）が取付けられており、これら下側耐火面材８によって形成された取付面（例えば、取付面８０）には、少なくとも２枚以上の方形板状の上側耐火面材（例えば、上側耐火面材９）が取付けられており、互いに隣り合う前記下側耐火面材８どうしの継目（例えば、継目Ｔ１、Ｔ２）と、互いに隣り合う前記上側耐火面材９どうしの継目（例えば、継目Ｔ３、Ｔ４）の、少なくともいずれか一方の継目に耐火性を有する目地処理材が取付けられ、前記上側耐火面材９は、前記下側耐火面材８より薄くてかつ面積が大きいことを特徴とする。
【０００６】
ここで、天井または床に耐火面材を２重貼りして取付ける場合、所定の耐火性能を得るために、２枚の耐火面材を所定の厚さにする必要があるが、請求項１に記載の発明では、上側耐火面材９を薄くした分、下側耐火面材８を厚くすることによって所定の厚さを確保すればよい。
【０００７】
また、隣り合う下側耐火面材８どうしの継目としては、例えば、図２に示すように、継目Ｔ１、Ｔ２があり、隣り合う上側耐火面材９どうしの継目としては、例えば、図３に示すように、継目Ｔ３、Ｔ４とがあるが、継目Ｔ１、Ｔ２および継目Ｔ３、Ｔ４の何れにも目地処理材を取付けることとしても良いし、継目Ｔ１および継目Ｔ３に取付けることとしても良いし、継目Ｔ１にのみ取付けることとしても構わない。
【０００８】
請求項２に記載の発明は、請求項１に記載の天井または床の耐火構造１において、前記目地処理材が、ガラス繊維テープ（例えば、ガラス繊維テープ１０）であることを特徴とする。
【０００９】
請求項３に記載の発明は、請求項１または２に記載の天井または床の耐火構造１において、前記上側耐火面材９どうしの継目Ｔ３、Ｔ４の長さの総延長は、前記下側耐火面材８どうしの継目Ｔ１、Ｔ２の長さの総延長より短くなっていることを特徴とする。
【００１０】
請求項４に記載の発明は、請求項１〜３の何れか一項に記載の天井または床の耐火構造１において、前記下側耐火面材８と前記上側耐火面材９とは、それぞれ長方形板状をなしており、これら下側耐火面材８と上側耐火面材９とは、平面視において、それらの長辺どうしが直交するようにして配置されていることを特徴とする。
【００１１】
請求項５に記載の発明は、請求項４に記載の天井または床の耐火構造１において、前記下側耐火面材８の短辺どうしの継目Ｔ１と、前記上側耐火面材９の長辺どうしの継目Ｔ４とは、平面視において一致していないことを特徴とする。
【００１２】
請求項６に記載の発明は、請求項４または５に記載の天井または床の耐火構造１において、前記下側耐火面材８は、短辺どうしの継目Ｔ１が、短辺方向に連続しないようにして配置されていることを特徴とする。
【００１３】
請求項７に記載の発明は、請求項４〜６の何れか一項に記載の天井または床の耐火構造１において、前記下側耐火面材８の長辺の長さと、前記上側耐火面材９の短辺の長さとは、それぞれ基準寸法の整数倍となっていることを特徴とする。
【００１４】
ここで、基準寸法は、建築のあらゆる部分を一定の大きさの倍数関係に整えようとするときの基準となる寸法に設定するのが望ましい。この場合、基準寸法としては、例えば９１０ｍｍ、４５５ｍｍ、１０００ｍｍ、５００ｍｍ等が採用される。
【発明の効果】
【００１５】
請求項１に記載の発明によれば、上側対火面材９は、下側耐火面材８より薄くて且つ面積が大きいので、上側耐火面材９どうしの継目を少なくできるとともに、上側耐火面材９の重量の嵩みを抑えることができる。また、上側耐火面材９を薄くした分、下側耐火面材８を厚くすることによって、上側耐火面材９と下側耐火面材８との合計の厚さを所定の厚さにできる。さらに、下側耐火面材８の大多数は上側耐火面材９より面積が小さいので、下側耐火面材８の重量の嵩みを抑えることができる。
さらに、隣り合う下側耐火面材８どうしの継目と、隣り合う上側耐火面材９どうしの継目の少なくともいずれか一方に、耐火性を有する目地処理材が取付けられることによって、より耐火性を向上させることができ、下側耐火面材８と上側耐火面材９のいずれの継目にも目地処理材が取付けられる場合には、特に高い耐火性を実現することができる。
【００１６】
請求項２に記載の発明によれば、耐火性を備えた目地処理材として、ガラス繊維テープ１０が用いられることとなる。これにより、請求項１に記載の発明の効果が得られるのは無論のこと、特に、手間をかけることなく、簡便に天井または床の耐火性を向上させることができる。
【００１７】
請求項３に記載の発明によれば、上側耐火面材９どうしの継目Ｔ３，Ｔ４の長さの総延長が、下側耐火面材８どうしの継目Ｔ１，Ｔ２の長さの総延長より短くなっているので、防火性能上、欠点が少なくなり有効となる。
そして、上側耐火面材９どうしの継目Ｔ３，Ｔ４の長さの総延長が短いので、上側耐火面材９の大多数は、下側耐火面材８より面積が大きくなるが、上側耐火面材９は、下側耐火面材８より薄く形成されているので、上側耐火面材９の重量の嵩みを抑えることができる。
【００１８】
請求項４に記載の発明によれば、下側耐火面材８と上側耐火面材９とは、それらの長辺どうしが直交しているので、下側耐火面材８どうしの継目と上側耐火面材９どうしの継目とが同じ方向を向かずに直交することとなり、継目が重なっている場合に問題となる強度低下を防ぐことができる。
【００１９】
請求項５に記載の発明によれば、下張り耐火面材８の短辺どうしの継目Ｔ１と、上側耐火面材９の長辺どうしの継目Ｔ４とが一致していないので、上側耐火面材９の長辺どうしの継目Ｔ４は、下側耐火面材８上に位置しており、これによって、上側耐火面材９どうしには、継目Ｔ４、Ｔ３近傍で段差が生じ難くなる。よって、これら上側耐火面材９上にクロスを貼り付ける際に、継目Ｔ４、Ｔ３に沿ってクロスに傷や突条が生じたり、クロスが切れるといった不具合を解消できる。
【００２０】
請求項６に記載の発明によれば、下側耐火面材８の短辺どうしの継目Ｔ１が、短辺方向に連続していないので、これら下側耐火面材８によって形成された取付面８０は、前記継目Ｔ１が連続している場合に比して、全体的に平坦となる。したがって、この取付面８０に取付けられた上側耐火面材９どうしには、継目Ｔ４、Ｔ３近傍で段差が生じ難くなる。よって、これら上側耐火面材９上にクロスを貼り付ける際に、継目Ｔ４、Ｔ３に沿ってクロスに傷や突条が生じたり、クロスが切れるといった不具合を解消できる。
【００２１】
請求項７に記載の発明によれば、継目Ｔ１を介して配置された下側耐火面材８の長辺の長さの総延長が、基準寸法の整数倍となり、継目Ｔ４を介して配置された上側耐火面材９の短辺の長さの総延長が、基準寸法の整数倍となるので、これら下側耐火面材８と上側耐火面材９を取付ける天井の一辺の長さを、基準寸法の整数倍に設定することによって、下側耐火面材８と上側耐火面材９とをそれぞれ隙間無く天井にその一辺方向に割り付けることができる。
【発明を実施するための最良の形態】
【００２２】
以下、図面を参照して本発明の実施の形態について説明する。
図１は、本発明にかかる天井の耐火構造の概略構成図であり、図２および図３は本発明にかかる天井の耐火構造の平面図である。図４は天井の耐火構造の概略構成図であって、図５および図６は天井の耐火構造１の断面図である。図７は本発明にかかる床の耐火構造１００の概略構成図であって、図８および９は、天井の床パネル２側の平面図である。
【００２３】
まず、本発明に係る天井の構成について、図１を参照して説明する。本実施の形態では、天井は、例えば、対向する壁に水平に架橋されたまぐさ（図示省略）によって下方から支持される床パネル２、該対向するまぐさ（図示省略）に両端部を固定される吊梁４、４、上端部を吊梁４と連結してなる吊木５、吊木５の下端部に固定される格子状の野縁６、吊吊梁４と野縁６との間に、野縁６の全面に亘って設けられる断熱材７、などを備えてなる。
ここで、本実施の形態の、天井または床に耐火面材を取付けてなる天井または床の耐火構造は、天井を構成する、格子状に形成された野縁６に方形板状の複数の下側耐火面材８と、該下側耐火面材８によって形成された取付面８０に、複数枚の方形板状の上側耐火面材９を取付ける場合を例に挙げて説明する。
【００２４】
床パネル２は、框材２０ａを矩形枠状に組み、この矩形枠の内部に、中框２０ｂや中桟２０ｃ、ブロッキング材２０ｄなどを組み付けてなる枠体２０と、枠体２０の側面に取付けられた床材３１、３２などによって構成される。床パネル２は、対向する壁に水平に架橋されたまぐさ（図示省略）の間に、その長辺部を接するようにして２枚配置される。
【００２５】
床材３１は、石膏ボードで形成された下張り材であり、この下張り材（床材３１）には、図８に示すように、４種類の床材３１ａ、３１ｂ、３１ｃ、３１ｄがある。床材３１ａは床の一方の端に配置される帯板状ものである。床材３１ｂは床の他方の端に配置される帯板状のもので、短辺の長さが床材３１ａの短辺の長さと等しく、長辺の長さが床材３１ａの長辺の長さの約半分になっている。床材３１ｃは、床材３１ａ、３１ｂより内側に配置される長方形板状ものであり、その長辺の長さは床材３１ａの長辺の長さと等しくなっており、短辺の長さは床材３１ａの短辺の長さの約２倍となっている。床材３１ｄは、床材３１ａ、３１ｂより内側に配置される長方形板状ものであり、その長辺の長さは床材３１ｂの長辺の長さと等しくなっており、短辺の長さは床材３１ｃの短辺の長さと等しくなっている。
そして、このような床材３１ａ、３１ｂ、３１ｃ、３１ｄは、その長辺方向に隣接する床材３１どうしの継目３１Ｔが、短辺方向において連続しないようにして配置されている。
【００２６】
床板３２は、合板で形成された表面材であり、この表面材（床板３２）には、図９に示すように、２種類の床材３２ｃ、３２ｄがある。床材３２ｃは、前記床材３１ｃと平面視における形状、大きさが等しいものであり、床材３１ｃより薄くなっている。また、床材３２ｄは、前記床材３１ｄと平面視における形状、大きさが等しいものであり、床材３１ｄより薄くなっている。
そして、このような床材３２ｃ、３２ｄは、床材３１ａ〜３１ｄを敷き詰めることによって形成された平面に、重ねるようにして敷き詰められる。この場合、床材３２ｃ、３２ｄは、その長辺方向に隣接する床材３２どうしの継目３２Ｔが、短辺方向において連続しないようにして配置されている。
また、床材３２ｃ、３２ｄは、それらの長辺方向に沿う継目３３Ｔが、平面視において、床材３１ａ、３１ｂ、３１ｃ、３１ｄの長辺方向に沿う継目３４Ｔと一致しないようにして配置されている。
【００２７】
吊梁４は、対向するまぐさ（図示省略）に亘って、所定間隔で、平行に設けられる長尺の板状部材であって、吊梁４の端部はまぐさ（図示省略）に固定されている。
吊木５は、その上端部を吊梁４に固定され、その下端部は吊梁４の下面より下方に突出してなる。
野縁６は、図１に示すように、複数の野縁材を格子状に組み立てたものであり、吊梁４の下方に設けられ、この野縁６を構成する所定の野縁材に、複数の吊木５の下端部がそれぞれ固定されてなる。つまり、野縁６は、吊木５および吊梁４を介してまぐさ（図示省略）によって支持されている。
断熱材７は、吊梁４と野縁６との間に、野縁６全面に亘って設けられる。断熱材７としては、例えば、グラスウールやロックウールなどを用いることができる。
【００２８】
野縁６は、まぐさ（図示省略）の下面より若干上方に位置しており、野縁６の下方には、図１および図２に示すように、長方形板状の複数の下側耐火面材８が取付けられている。下側耐火面材８は強化石膏ボードで形成されたものであり、例えば、厚みは約２１ｍｍ程度に設定されている。下側耐火面材８には、図２に示すように、４種類の下側耐火面材８ａ、８ｂ、８ｃ、８ｄがある。
下側耐火面材８ａは野縁６の一方の端側に配置される帯板状の部材である。下側耐火面材８ｂは野縁６の他方の端側に配置される帯板状の部材であって、短辺の長さは下側耐火面材８ａの短辺の長さと等しく、長辺の長さが下側耐火面材８ａの長辺の長さの約半分となっている。下側耐火面材８ｃは下側耐火面材８ａ、８ｂより内側に配置される長方形板状の部材であり、その長辺の長さは下側耐火面材８ａの長辺の長さと等しくなっており、短辺の長さは下側耐火面材８ａの短辺の長さより若干長くなっている。下側耐火面材８ｄは、下側耐火面材８ａ、８ｂより内側に配置される長方形板状の部材であり、その長辺の長さは下側耐火面材８ｂの長辺の長さと等しくなっており、短辺の長さは下側耐火面材８ｃの短辺の長さと等しくなっている。
前記下側耐火面材８ａ〜８ｄのうち、最も面積が大きいものは、下側耐火面材８ｃであり、下側耐火面材８ａ、８ｄ、８ｂはこの順で次第に面積が小さいものとなっている。
【００２９】
そして、このような下側耐火面材８ａ、８ｂ、８ｃ、８ｄは、その長辺方向に隣接する下側耐火面材８の短辺どうしの継目Ｔ１が、短辺方向において連続しないようにして配置されている。
また、下側耐火面材８ａ、８ｂ、８ｃ、８ｄは、その短辺方向に隣接する下側耐火面材８どうしの継目Ｔ２が、長辺方向において連続するようにして配置されている。
さらに、継目Ｔ１、Ｔ２は全て、野縁６の野縁材上に位置するようにして配置され、これによって継目Ｔ１、Ｔ２が補強されるとともに、継目Ｔ１、Ｔ２を境として段差が生じないようになっている。
【００３０】
下側耐火面材８ａ、８ｂ、８ｃ、８ｄによって形成された取付面８０には、長方形板状の複数の上側耐火面材９が取付けられている。上側耐火面材９は強化石膏ボードによって形成されたものであり、例えば、厚みは約１５ｍｍと、下側耐火面材８より薄く設定されている。また、上側耐火面材９には、図３に示すように、６種類の上側耐火面材９ａ、９ｂ、９ｃ、９ｄ、９ｅ、９ｆがある。
【００３１】
上側耐火面材９ａは、野縁６の長辺に沿って配置される帯板状のものである。上側耐火面材９ｂは、野縁６の長辺に沿って、上側耐火面材９ａの延長上に配置される帯板状のもので、短辺の長さが上側耐火面材９ａの短辺の長さと等しく、長辺の長さが上側耐火面材９ａの長辺の長さより長くなっている。上側耐火面材９ｃは、野縁６の長辺に沿って、上側耐火面材９ｂの延長上に配置される帯板状のもので、短辺の長さが上側耐火面材９ｂの短辺の長さと等しく、長辺の長さが上側耐火面材９ａの長辺の長さより短くなっている。
【００３２】
上側耐火面材９ｄは、野縁６の内側に配置される長方形板状の部材であり、その短辺の長さは上側耐火面材９ｃの短辺の長さの２倍であり、長辺の長さは上側耐火面材９ｃの長辺の長さより短くなっている。上側耐火面材９ｅは、野縁６の長辺と平行に上側耐火面材９ｄの延長上に配置される長方形板状の部材で、短辺の長さが上側耐火面材９ｄの短辺の長さと等しく、長辺の長さが上側耐火面材９ｂの長辺の長さと等しくなっている。上側耐火面材９ｆは、野縁６の長辺と平行に上側耐火面材９ｅの延長上に配置される長方形板状の部材で、短辺の長さが上側耐火面材９ｅの短辺の長さと等しく、長辺の長さが上側耐火面材９ｅの長辺の長さより短く、かつ、上側耐火面材９ｄの長辺の長さより長くなっている。
【００３３】
上側耐火面材９ａ〜９ｆのうち、最も面積が大きいものは、上側耐火面材９ｅであり、上側耐火面材９ｆ、９ｄ、９ｂ、９ａ、９ｃはこの順で次第に面積が小さいものとなっている。
本実施の形態では野縁６に上側耐火面材９ａ〜９ｆを適宜割りつけて配置しているが、野縁６が大きい場合、上側耐火面材９ｅを長辺方向に並べ、短辺方向に隣接する上側耐火面材９ｅは、野縁６の一つの格子の大きさ分だけ長辺方向にずらして並べる。そして、野縁６の外周部において、上側耐火面材９ｅを割り付けられない場合に、上側耐火面材９ｆ、９ｄ、９ｂ、９ａ、９ｃを適宜割り付ける。
同様に、本実施の形態では野縁６に下側耐火面材８ａ〜８ｄを適宜割りつけて配置しているが、野縁６が大きい場合、最も面積が大きい下側耐火面材８ｃを長辺方向に並べ、短辺方向に隣接する下側耐火面材８ｃは、野縁６の格子二つ分だけ長辺方向にずらして並べる。そして、野縁６の外周部において、下側耐火面材８ｃを割り付けられない場合に、下側耐火面材８ａ、８ｂ、８ｄを適宜割り付ける。
【００３４】
本実施の形態では、野縁６に取付けられている下側耐火面材８ａ〜８ｄはそれぞれほぼ同数、割り付けられているが、野縁６が大きい場合、つまり天井が広い場合、野縁６には最も面積が大きい下側耐火面材８ｃが多数取付けられ、野縁６の残りの外周部に下側耐火面材８ａ、８ｂ、８ｄが適宜割り付けられる。
同様に、本実施の形態では、野縁６に取付けられている上側耐火面材９ａ〜９ｆはそれぞれほぼ同数、割り付けられているが、野縁６が大きい場合、つまり天井が広い場合、野縁６には最も面積が大きい上側耐火面材９ｅが多数取付けられ、野縁６の残りの外周部に上側耐火面材９ｆ、９ｄ、９ｂ、９ａ、９ｃが適宜割り付けられる。
そして、上側耐火面材９の大多数を占める上側耐火面材９ｅは、下側耐火面材８の大多数を占める下側耐火面材８ｃより面積が大きいが、上側耐火面材９ｅは、下側耐火面材８ｃより薄く形成されている。
【００３５】
また、このような上側耐火面材９ａ〜９ｆは、下側耐火面材８ａ〜８ｄを敷き詰めることによって形成された取付面８０に、重ねるようにして敷き詰められる。
この場合、上側耐火面材９ａ〜９ｆは、その長辺方向に隣接する上側耐火面材９どうしの継目Ｔ３が、短辺方向において連続しないようにして配置されている。
また、上側耐火面材９ａ〜９ｆは、その短辺方向に隣接する上側耐火面材９どうしの継目Ｔ４が、長辺方向において連続するようにして配置されている。
さらに、継目Ｔ３、Ｔ４は全て、野縁６の野縁６材上に位置するようにして配置される。これによって、継目Ｔ３、Ｔ４が補強されるとともに、継目Ｔ３、Ｔ４を境として段差が生じないようになっている。
【００３６】
また、図４に示すように、下側耐火面材８ａ〜８ｄと上側耐火面材９ａ〜９ｆとは、平面視において、それらの長辺どうしが直交するようにして、配置されている。
さらに、下側耐火面材８ａ〜８ｄと上側耐火面材９ａ〜９ｆとは、互いに隣り合う下側耐火面材８ａ〜８ｄの短辺どうしの継目Ｔ１と、互いに隣り合う上側耐火面材９ａ〜９ｆの長辺どうしの継目Ｔ４とが、平面視において一致していないようにして、配置されている。
そして、上側耐火面材９どうしの継目Ｔ３、Ｔ４の長さの総延長は、下側耐火面材８どうしの継目Ｔ１、Ｔ２の長さの総延長より短くなっている。
【００３７】
さらに、下側耐火面材８ａ〜８ｄの長辺の長さと、上側耐火面材９ａ〜９ｆの短辺の長さとは、それぞれ基準寸法の整数倍となっている。具体的には、基準寸法を、例えば、４５５ｍｍ（０．５Ｍ（モジュール））とすると、下側耐火面材８ａの長辺の長さは基準寸法の４倍（２Ｍ）、下側耐火面材８ｂの長辺の長さは基準寸法の２倍（１Ｍ）、下側耐火面材８ｃの長辺の長さは基準寸法の４倍（２Ｍ）、下側耐火面材８ｄの長辺の長さは基準寸法の２倍（１Ｍ）となっている。
また、上側耐火面材９ａ、９ｂ、９ｃの短辺の長さは基準寸法の１倍（０．５Ｍ）、上側耐火面材９ｄ、９ｅ、９ｆの短辺の長さは基準寸法の２倍（１Ｍ）となっている。
【００３８】
下側耐火面材８および上側耐火面材９の天井への取付けは、図５に示すように、下側耐火面材８を釘打ちによって野縁６に固定し、さらにその上面から上側耐火面材９を釘打ちによって固定することにより取付けているが、取付方法はこれに限られることはなく、適宜好適な方法を用いることができる。
他の取付方法として、例えば、図６に示すように、下側耐火面材８と、上側耐火面材９とを、取付面８０を介して、シアノアクリレート系、ポリサルファイド系、シリコーン系などの無機系接着剤（図示省略）を用いて接着固定し、該接着固定された下側耐火面材８と上側耐火面材９とをステープル１２によって野縁６に固定することとしてもよい。
【００３９】
以上に説明したように配置される下側耐火面材８と上側耐火面材９の継目に耐火性を有する目地処理材として、ガラス繊維テープ１０およびパテ１１が取付けられる。具体的には、互いに隣り合う下側耐火面材８どうしの継目Ｔ１、Ｔ２と、互いに隣り合う上側耐火面材９どうしの継目Ｔ３、Ｔ４の、少なくとも何れか一方の継目に、ガラス繊維テープ１０が取付けられる。
本実施の形態においては、例えば、図４および図５に示すように、下側耐火面材８の継目Ｔ２および上側耐火面材９の継目Ｔ４に取付けられる。具体的には、継目Ｔ２に沿って、継目Ｔ２を完全に覆い隠すようにガラス繊維テープ１０が取付けられ、さらにその上方から、ガラス繊維テープ１０の全面を覆うようにエポキシ樹脂などの含浸透性を有するパテ１１が塗布される。このパテ１１の硬化により、継目Ｔ２およびＴ４の隙間が塞がれる。
【００４０】
尚、ガラス繊維テープ１０によって全ての継目が覆われていなくてもよく、例えば、下側耐火面材８の継目Ｔ２と上側耐火面材９の継目Ｔ４とが交差する箇所のみ取付けることとしてもよいし、これら以外にも適宜可能な方法で取付けることができる。
また、耐火性を有する目地処理材として、ガラス繊維テープ１０を例示したが、これに限るものではなく、耐火性を有し、且つ継目を覆う材料であればよく、例えば、セラミック材料や耐火金属などを用いても良い。
【００４１】
以上に説明した、天井の耐火構造１によると、上側対火面材９は、下側耐火面材８より薄くて且つ面積が大きいので、上側耐火面材９どうしの継目を少なくできるとともに、上側耐火面材９の重量の嵩みを抑えることができる。また、上側耐火面材９を薄くした分、下側耐火面材８を厚くすることによって、上側耐火面材９と下側耐火面材８との合計の厚さを所定の厚さにできる。さらに、下側耐火面材８の大多数は上側耐火面材９より面積が小さいので、下側耐火面材８の重量の嵩みを抑えることができる。
さらに、隣り合う下側耐火面材８どうしの継目と、隣り合う上側耐火面材９どうしの継目の少なくともいずれか一方に、耐火性を有する目地処理材が取付けられることによって、より耐火性を向上させることができ、下側耐火面材８と上側耐火面材９のいずれの継目にも目地処理材が取付けられる場合には、特に高い耐火性を実現することができる。
また、耐火性を備えた目地処理材として、ガラス繊維テープ１０が用いられることとなり、手間をかけることなく、簡便に天井または床の耐火性を向上させることができる。
【００４２】
さらに、上側耐火面材９どうしの継目Ｔ３，Ｔ４の長さの総延長が、下側耐火面材８どうしの継目Ｔ１，Ｔ２の長さの総延長より短くなっているので、防火性能上、欠点が少なくなり有効となる。
そして、上側耐火面材９どうしの継目Ｔ３，Ｔ４の長さの総延長が短いので、上側耐火面材９の大多数は、下側耐火面材８より面積が大きくなるが、上側耐火面材９は、下側耐火面材８より薄く形成されているので、上側耐火面材９の重量の嵩みを抑えることができる。
【００４３】
また、下側耐火面材８と上側耐火面材９とは、それらの長辺どうしが直交しているので、下側耐火面材８どうしの継目と上側耐火面材９どうしの継目とが同じ方向を向かずに直交することとなり、継目が重なっている場合に問題となる強度低下を防ぐことができる。
【００４４】
さらに、下張り耐火面材８の短辺どうしの継目Ｔ１と、上側耐火面材９の長辺どうしの継目Ｔ４とが一致していないので、上側耐火面材９の長辺どうしの継目Ｔ４は、下側耐火面材８上に位置しており、これによって、上側耐火面材９どうしには、継目Ｔ４、Ｔ３近傍で段差が生じ難くなる。よって、これら上側耐火面材９上にクロスを貼り付ける際に、継目Ｔ４、Ｔ３に沿ってクロスに傷や突条が生じたり、クロスが切れるといった不具合を解消できる。
【００４５】
そして、下側耐火面材８の短辺どうしの継目Ｔ１が、短辺方向に連続していないので、これら下側耐火面材８によって形成された取付面８０は、前記継目Ｔ１が連続している場合に比して、全体的に平坦となる。したがって、この取付面８０に取付けられた上側耐火面材９どうしには、継目Ｔ３、Ｔ４近傍で段差が生じ難くなる。よって、これら上側耐火面材９上にクロスを貼り付ける際に、継目Ｔ３、Ｔ４に沿ってクロスに傷や突条が生じたり、クロスが切れるといった不具合を解消できる。
【００４６】
また、継目Ｔ１を介して配置された下側耐火面材８の長辺の長さの総延長が、基準寸法の整数倍となり、継目Ｔ４を介して配置された上側耐火面材９の短辺の長さの総延長が、基準寸法の整数倍となるので、これら下側耐火面材８と上側耐火面材９を取付ける天井の一辺の長さを、基準寸法の整数倍に設定することによって、下側耐火面材８と上側耐火面材９とをそれぞれ隙間無く天井にその一辺方向に割り付けることができる。
【００４７】
尚、本発明は、上記実施の形態に限定されるものではなく、その要旨を逸脱しない範囲で適宜変更可能である。
上記実施の形態では、天井の野縁６に、耐火面材（下側耐火面材８と上側耐火面材９）を取付けた場合を例にとって説明したが、本発明はこれに限ることなく、床（例えば、床材３１）側に耐火面材（下側耐火面材８と上側耐火面材９）を取付けてなる床の耐火構造１００に適用してもよい。この場合、例えば図７に示すように、床材３１の上面に下側耐火面材８と上側耐火面材９とを重ねて取付け、さらに、上側耐火面材９の上面に床材３２を設け、床材３２の上面に仕上げ用の合板で形成された床板（例えばフローリング材など）１３を取付ける。また、野縁６の下方には、例えば天板１４を取付ける。その他、床パネル２、吊梁４、吊木５、野縁６、断熱材７などの構成は前述した通りである。
【図面の簡単な説明】
【００４８】
【図１】本発明にかかる天井の耐火構造１の概略構成図である。
【図２】天井の耐火構造１の平面図である。
【図３】天井の耐火構造１の平面図である。
【図４】天井の耐火構造１の概略構成図である。
【図５】天井の耐火構造１の断面図である。
【図６】図５における天井の耐火構造１の、他の固定手段における断面図である。
【図７】本発明にかかる床の耐火構造１００の概略構成図である。
【図８】天井の床パネル２側の平面図である。
【図９】天井の床パネル２側の平面図である。
【符号の説明】
【００４９】
１      天井の耐火構造（天井または床の耐火構造）
２      床パネル
８      下側耐火面材
９      上側耐火面材
１０    ガラス繊維テープ
１２    ステープル
８０    取付面
１００  床の耐火構造（天井または床の耐火構造）
Ｔ１、Ｔ２、T３、Ｔ４  継目
【図１】
2006161406.tif 000003
【図２】
2006161406.tif 000004
【図３】
2006161406.tif 000005
【図４】
2006161406.tif 000006
【図５】
2006161406.tif 000007
【図６】
2006161406.tif 000008
【図７】
2006161406.tif 000009
【図８】
2006161406.tif 000010
【図９】
2006161406.tif 000011